(57)【要約】      （修正有）【課題】従来の太鼓型打楽器をさらに改良を施し、小型軽量化のまま、軽い打撃でも十分な音量を確保することの可能な太鼓型打楽器を提供する。【解決手段】太鼓型打楽器１００は、中空の円柱形状の胴体部１１０と、胴体部１１０の頂部に設けられる打面部１２０、１３０とを備える。打面部１２０は、表面に設けられる振動板と、振動板の裏側に設けられる共振板と、振動板と共振板との間に設けられ、振動板及び共振板を支持する中間支持体と、を備えたことを特徴とする。打面部１２０の振動板の裏側に共振板を設け、振動板を二重にする構成としたことにより、軽い打撃でも十分な音量を確保することができる。【選択図】図１
0003202993.tif 000002
【実用新案登録請求の範囲】
【請求項１】
中空の円柱形状又は多角形柱形状の胴体部と、前記胴体部の頂部に設けられる打面部と、を備え、
前記打面部は、
表面に設けられる振動板と、
前記振動板の裏側に設けられる共振板と、
前記振動板と前記共振板との間に設けられ、前記振動板及び前記共振板を支持する中間支持体と、
を備えたことを特徴とする、太鼓型打楽器。
【請求項２】
前記打面部は、前記胴体部の両端にそれぞれ設けられることを特徴とする、請求項１に記載の太鼓型打楽器。
【請求項３】
さらに、柄と頭部とからなるバチを備え、
前記頭部は、ハニカムコア構造又はトラス構造を有することを特徴とする、請求項１又は２に記載の太鼓型打楽器。
【考案の詳細な説明】
【技術分野】
【０００１】
本考案は、太鼓型の打楽器に関する。
【背景技術】
【０００２】
簡易な構成で楽器の太鼓を実現した太鼓型打楽器として、特許文献１に開示されるものがある。同文献に開示される太鼓型打楽器は、太鼓の持ち運びや歩行演奏の際の労力を軽減するものであり、軽量かつ成型容易な紙素材が使われていた。この太鼓型打楽器によれば、高度な技術を必要とせずに製造することができるとともに、一定の強度を確保しつつも総重量を軽くすることが可能である。
【先行技術文献】
【特許文献】
【０００３】
【特許文献１】実用新案登録第３１９５４９５号
【考案の概要】
【考案が解決しようとする課題】
【０００４】
上記特許文献１は、これまでにない新たな太鼓型打楽器を開示するものであるところ、まだ改良の余地が残されていた。その一つとして、次のような点がある。従来の太鼓型打楽器では、楽器が小型化すると音量が小さくなるため、より強い打撃を加える必要があった。そのため、打面皮部分の張力を強める傾向があり、木製あるいは金属、樹脂などの堅牢な支持体（共鳴胴）、及び強靭な張力調整機構を必要とし、結果楽器全体が重くなってしまうという問題があった。
【０００５】
そこで本考案は、このような問題に鑑みてなされたものであり、その目的とするところは、上記特許文献１の太鼓型打楽器をさらに改良を施し、小型軽量化のまま、軽い打撃でも十分な音量を確保することの可能な、新規かつ改良された太鼓型打楽器を提供することにある。
【課題を解決するための手段】
【０００６】
上記課題を解決するために、本考案によれば、中空の円柱形状又は多角形柱形状の胴体部と、前記胴体部の頂部に設けられる打面部と、を備え、前記打面部は、表面に設けられる振動板と、前記振動板の裏側に設けられる共振板と、前記振動板と前記共振板との間に設けられ、前記振動板及び前記共振板を支持する中間支持体と、を備えたことを特徴とする、太鼓型打楽器が提供される。
【０００７】
かかる構成によれば、打面部の振動板の裏側に共振板（共鳴板）を設け、この振動板の間を中空な構造体で充填するため、張力調整機構を必要としない打面部分が平面に形成される。振動板を多重化する多層構造としたことにより、振動面が増加したため、軽い打撃でも十分な音量を確保することができる。このようにして、小型軽量化のまま、軽い打撃でも十分な音量を確保することが可能である。
【０００８】
本考案は、さまざまな応用が可能である。例えば、前記打面部は、前記胴体部の両端にそれぞれ設けるようにしてもよい。
【０００９】
従来の小型の太鼓型打楽器では音量を確保するため、片面太鼓にするものが多く、一つの楽器だけで音程に変化つけることは難しかった。この点、本考案では、片面太鼓であっても、振動板の厚さや間隔などを調整することにより、音程の調節が可能であるが、さらに、本考案の応用例として、打面部を胴体部の両端にそれぞれ設ける構成（両面太鼓）とすることができる。片面ずつに異なる調整のなされた打面を用いることにより、音程に変化をつけることが可能であり、演奏の幅を広げることができる。
【００１０】
また、さらに、柄と頭部とからなるバチを備え、前記頭部は、ハニカムコア構造又はトラス構造を有するようにしてもよい。なお、ハニカム（ｈｏｎｅｙｃｏｍｂ）とは英語で蜂の巣を意味し、蜂の巣のような六角形や、その他同一の立体図形（セル）を隙間なく並べた構造体をハニカムコア構造という。また、トラス（Ｔｒｕｓｓ）構造とは、三角形を基本単位として、その集合体で構成する構造をいう。
【００１１】
かかる構成によれば、頭部をハニカムコア構造又はトラス構造を有するようにしたことにより、軽量で弾性に富んでおり、バウンド打音を利用したかなり細かい音符の演奏が可能となる。
【００１２】
上記本考案の応用例は、任意に組み合わせることができる。
【考案の効果】
【００１３】
本考案の太鼓型打楽器によれば、軽い打撃でも十分な音量を確保することが可能である。また、小型軽量であるため、高齢者や児童でも扱いやすく演奏も容易である。特許文献１に開示される簡易太鼓と同じく、例えば音楽療法などの分野での活用も期待できる。その他、スポーツ競技の応援やパレードなどのノベルティグッズとしての使用も想定される。本考案のその他の効果については、以下の考案を実施するための形態の項でも説明する。
【図面の簡単な説明】
【００１４】
【図１】太鼓型打楽器１００の構成を概略的に示す図である。
【図２】打面部の一構成例（トラス型）を示す図であり、（ａ）は組み立てた状態を示し、（ｂ）は展開した状態を示す。
【図３】バチ１５０を示す図であり、（ａ）はバチ１５０を側方から見た図であり、（ｂ）はバチ１５０の頭部１５４を上方から見た図である。
【図４】太鼓型打楽器１００の使用例を示す図であり、（ａ）はストラップ１４０に指を掛けたところを示し、（ｂ）はバチ１５０で太鼓型打楽器１００を叩いている状態を示す。
【図５】第２の実施形態にかかる打面部の一構成例（放射トラス型）を示す図であり、（ａ）は組み立てた状態を示し、（ｂ）は展開した状態を示す。
【図６】第３の実施形態にかかる打面部の一構成例（ハニカム型）を示す図であり、（ａ）は組み立てた状態を示し、（ｂ）は展開した状態を示す。
【図７】第４の実施形態にかかるバチの一構成例（トラス構造）を示す図であり、（ａ）はスパイラル型を示し、（ｂ）はトラス構造と二重トラス構造を組み合わせたものを示す。
【考案を実施するための形態】
【００１５】
以下に添付図面を参照しながら、本考案の好適な実施の形態について詳細に説明する。なお、本明細書及び図面において、実質的に同一の機能構成を有する構成要素については、同一の符号を付することにより重複説明を省略する。
【００１６】
本考案の一実施形態にかかる太鼓型打楽器１００について説明する。まず、主に図１〜図３を参照しながら、太鼓型打楽器１００の構成について説明する。
【００１７】
図１は、太鼓型打楽器１００の構成を概略的に示す図である。太鼓型打楽器１００は、図１に示したように、中空の円柱形状の胴体部１１０と、胴体部１１０の頂部に設けられる打面部１２０、１３０と、太鼓型打楽器１００を手で保持するためのストラップ１４０と、を主に備えて構成される。
【００１８】
太鼓型打楽器１００の大きさは任意であるが、本実施形態では一例として、太鼓型打楽器１００を手のひらで保持して演奏できる大きさとして、直径１０〜１８ｃｍ程度、さらに適切なサイズとしては直径１０〜１３ｃｍ程度のものとする。以下、太鼓型打楽器１００の各構成要素について順に説明する。
【００１９】
（胴体部１１０）
胴体部１１０は、図１に示したように、中空の円柱形状をしている。胴体部１１０の円柱の直径は、手のひらを広げた程度の大きさ（１０〜１８ｃｍ程度、より好ましくは１０〜１３ｃｍ程度）である。
【００２０】
胴体部１１０は、例えば、厚手（紙厚：０．７ｍｍ、坪量４００ｇ／ｍ２）の三層クラフト紙（ボール紙）を使用して構成することができる。胴体部１１０の内側には、稠密な縦溝が約０．８ｍｍ間隔で付されており、この縦溝によって、図１に示したように、円柱形状を形成することができる。ただし、胴体部１１０の素材はこの例に限定されず、例えば、多層紙類（段ボール類）や合成樹脂の素材で構成することもできる。
【００２１】
（打面部１２０、１３０）
打面部１２０、１３０は、図１に示したように、円盤状であり、胴体部１１０の上下の両端に対向するように設けられる。打面部１２０、１３０の円盤状の直径は、胴体部１１０のサイズに対応するものである。打面部１２０、１３０は同様の構成とすることができるため、以下では、打面部１２０を中心に説明する。
【００２２】
打面部１２０は、図２に示したように、表面に設けられる振動板１２２と、振動板１２２の裏側に設けられる共振板１２４と、振動板１２２と共振板１２４との間に設けられ、振動板１２２及び共振板１２４を支持する中間支持体１２６と、を備えたことを特徴とする。すなわち、振動板１２２と共振板１２４により、振動板が二重に構成される。打面部１２０の厚みは、図２（ａ）の状態で、厚みは１．５〜３．８ｍｍ程度である。なお、図２では、構成を明確にするために誇張して表現しており、実際の寸法とは必ずしも一致しない。
【００２３】
振動板１２２は、１平方メートル（ｍ２）あたり２００〜２８０ｇのクラフト紙により構成される平面板である。共振板１２４も、上底面１２２と同様に構成される平面板である。一般的な音響スピーカーに使われている紙製コーン（抄紙振動板）のように、紙類は発声音源に適した素材である。ただし、振動板１２２と共振板１２４は、異なる素材や厚みで構成してもよい。
【００２４】
中間支持体１２６は、材質は振動板１２２及び共振板１２４と同様の１平方メートル（ｍ２）あたり２００〜２８０ｇのクラフト紙から構成される。図２（ｂ）は、トラス構造の中間支持体１２６を示す図である。なお、トラス（Ｔｒｕｓｓ）構造とは、三角形を基本単位としてその集合体で構成する構造形式をいう。中間支持体１２６は、図２（ａ）に示したように、側面が三角形になるように構成される。周縁部から中心部に向かって稠密な三角形である。中心部の三角形は二等辺三角形であるが、周縁部の三角形は、頂点が外側に寄った三角形としてもよい。
【００２５】
図２（ｂ）は打面部１２０を展開した状態を示す図である。中間支持体１２６は、図２（ｂ）に示したように、平行な歯が並ぶノコギリ歯状であり、歯の間隔は、周縁部から中心部に向かって稠密に構成される。以上のような中間支持体１２６を有する打面部１２０を、トラス型中空構造体と称する。
【００２６】
ここでは、打面部１２０の構成の一例として、トラス型中空構造体を説明した。かかる構成により、打面の強度と張力を保持しながら、かつ軽量な振動体を実現した。振動板１２２、共振板１２４及び中間支持体１２６のそれぞれの厚みや間隔は、任意に設計することができる。また、打面部１２０、１３０の構成は、必ずしも同じ構成でなく、打面部１２０と打面部１３０とで構成を変えてもよい。なお、トラス型中空構造体以外の構成については、さらに後述する。
【００２７】
胴体部１１０と打面部１２０、１３０との接合は、低音域を減少させて高音の響きを伸ばすため、胴体部１１０の頂部に直接、打面部１２０、１３０の周縁部（外周）を接合することにより行われる。このようにすることで、打撃振動による低周波の発生を抑制することができ、クリアな高音を得ることができる。かかる構成により、例えば直径１３ｃｍ、胴の高さ５ｃｍのもので、本体総重量２５ｇとなり、同サイズのラテン打楽器タンボリン（約３００ｇ）の１０分の１以下に軽量化が可能となる。
【００２８】
（ストラップ１４０）
ストラップ１４０は、指に掛けて太鼓型打楽器１００を保持するためのものである。ストラップ１４０の両端は、図１に示したように、胴体部１１０の外側からストラップ用穿孔１１４、１１６を挿通して、胴体部１１０に取り付けられる。ストラップ１４０は、ストラップ１４０を押し込むことにより、ストラップ用穿孔１１４、１１６の外側に出ている部分を、胴体部１１０の外周に密着させることができる。
【００２９】
ストラップ１４０の素材は任意であるが、例えばナイロンコードなどを採用することができる。上述したように、打面部１２０と打面部１３０とで異なる音を出せることから、ストラップ１４０に指を通した状態で、太鼓型打楽器１００の向きを反転させることができるようにしてもよい。ストラップ１４０にこのような機能を持たせるために、適切な柔らかさ、強度などを考慮して、適切な素材を採用することができる。
【００３０】
以上、太鼓型打楽器１００の構成について説明した。次に、太鼓型打楽器１００の付属品であるバチ１５０について説明する。なお、実際に商品として市場を流通する際には、太鼓型打楽器１００とバチ１５０を個別に商取引の対象としてもよく、あるいは、太鼓型打楽器１００とバチ１５０をセットにして太鼓型打楽器として商取引の対象としてもよい。
【００３１】
（バチ１５０）
図３は、バチ１５０を示す図であり、図３（ａ）はバチ１５０を側方から見た図であり、図３（ｂ）はバチ１５０の頭部１５４を上方から見た図である。バチ１５０は、図３（ａ）に示したように、棒状（長尺状）の柄１５２と、頭部１５４とから主に構成される。
【００３２】
柄１５２は、太鼓型打楽器１００の使用者が演奏時に把持する部分である。柄１５２の材質やサイズは、使用者の持ちやすさや柄１５２のしなり具合などを考慮して決められる。例えば、柄１５２の材質は、竹製又は木製である。また、柄１５２の長さは、演奏時に持ちやすい長さとし、例えば１０〜１５ｃｍ程度（具体的な一例としては、１３．２ｃｍ）とすることができる。
【００３３】
頭部１５４は、図３（ａ）に示したように、柄１５２の先端に設けられる。そして、柄１５２の先端が頭部１５４の中心に挿通されることで、柄１５２と頭部１５４とが固定される。例えば直径２．５ｃｍ、高さ１ｃｍ程度とすることができる。
【００３４】
頭部１５４は、図３（ｂ）に示したように、円柱状に成形積層した紙製のハニカムコアの中空構造である。ハニカム（ｈｏｎｅｙｃｏｍｂ）とは英語で蜂の巣を意味し、蜂の巣のような六角形や、その他同一の立体図形（セル）を隙間なく並べた構造体をハニカムコア構造という。頭部１５４をハニカムコアで構成することにより、軽量で弾性に富んでおり、バウンド打音を利用したかなり細かい音符の演奏が可能となる。例えば、当り鉦（あたりがね）・摺鉦（すりがね）などと称される打楽器と同様の演奏が可能となる。
【００３５】
また、頭部１５４は、上面の周縁部分にウレタンなどの樹脂含浸加工を施すことで、打撃に対して耐久性を持たせている。頭部１５４の側面は、樹脂含浸加工を施しても施さなくてもよい。以上のようにして、軽くて強度の高い頭部１５４とすることができる。
【００３６】
以上、本実施形態の一構成例について説明した。
次に、主に図４を参照しながら、太鼓型打楽器１００の使用方法について説明する。図４は、太鼓型打楽器１００の使用例を示す図であり、図４（ａ）はストラップ１４０に指を掛けたところを示し、図４（ｂ）はバチ１５０で太鼓型打楽器１００を叩いている状態を示す。
【００３７】
使用者は、図４（ａ）に示したように、片手の指にストラップ１４０を通し、手の平で太鼓型打楽器１００を支える。太鼓型打楽器１００は、上述したように、直径１０〜１８ｃｍ程度であり、ストラップ１４０を通した手のひらにより、適切に支えることができる。
【００３８】
そして、使用者は、図４（ｂ）に示したように、バチ１５０で、太鼓型打楽器１００を演奏することができる。なお上述したように、打面部１２０と打面部１３０とで厚みの違う素材を使用したことで、音域幅のある演奏が可能である。バチ１５０で叩く面によって音の高さにバリエーションを持たせることができる。
【００３９】
ストラップ１４０に指を通した状態で太鼓型打楽器１００の向きを反転させることができる場合には、打面部１２０、１３０を入れ替えることにより、音の高さを変えることができる。また、ストラップ１４０に指を通した状態で太鼓型打楽器１００の向きを反転させることができない場合には、ストラップ１４０から指を外して、太鼓型打楽器１００を反転させることもできる。
【００４０】
（第１の実施形態の効果）
以上説明したように、本実施形態によれば、打面部１２０、１３０の振動板１２２の裏側に共振板１２４を設け、振動板を二重にする構成としたことにより、軽い打撃でも十分な音量を確保することができる。このようにして、小型軽量化のまま、軽い打撃でも十分な音量を確保することが可能である。また、振動板１２２、共振板１２４の厚さや間隔などを調整することにより、音程の調節が可能である。
【００４１】
また、打面部１２０、１３０を胴体部１１０の両端にそれぞれ設ける構成（両面太鼓）とした。片面ずつに異なる調整のなされた打面を用いることにより、音程に変化をつけることが可能であり、演奏の幅を広げることができる。
【００４２】
また、バチ１５０の頭部１５４をハニカムコアで構成することにより、軽量で弾性に富んでおり、バウンド打音を利用したかなり細かい音符の演奏が可能となる。
【００４３】
（第２の実施形態）
上記第１の実施形態では、打面部１２０の構成の一例として、トラス型中空構造体について説明した（図２）。本実施形態では、打面部の他の構成例について説明する。本実施形態の打面部は、以下に説明するように「放射トラス型」と称される構造である。以下、主に図５を参照しながら説明する。
【００４４】
本実施形態の打面部２２０は、図５（ａ）、（ｂ）に示したように、表面に設けられる振動板２２２と、振動板２２２の裏側に設けられる共振板２２４と、振動板２２２と共振板２２４との間に設けられ、振動板２２２及び共振板２２４を支持する中間支持体２２６と、を備えたことを特徴とする。振動板２２２と共振板２２４については、上記第１の実施形態の振動板１２２及び共振板１２４と実質的に同様である。
【００４５】
本実施形態の中間支持体２２６は、上記第１の実施形態の中間支持体１２６とは形状が異なる。中間支持体２２６は、図５（ｂ）に示したように、ノコギリ歯が放射状に並ぶ構造である。なお、中間支持体２２６の形状以外の他の特徴（材質等）は、上記第１の実施形態の中間支持体１２６と実質的に同様である。
【００４６】
かかる構成の放射トラス型の中間支持体２２６によれば、音響的に良好である。なお、放射トラス型には、図５に示した構造のほかに、中間支持体２２６の中心部をくり抜いた「ドーナツ状」とすることも可能である。「ドーナツ状」の中間支持体も音響的に良好である。なお、本実施形態で説明した構成以外の部分については、上記第１の実施形態と実質的に同様の構成とすることができるため、重複説明を省略する。
【００４７】
（第３の実施形態）
本実施形態では、打面部の他の構成例について説明する。本実施形態の打面部は、以下に説明するように「ハニカム型」と称される構造である。以下、主に図６を参照しながら説明する。
【００４８】
本実施形態の打面部３２０は、図６（ａ）、（ｂ）に示したように、表面に設けられる振動板３２２と、振動板３２２の裏側に設けられる共振板３２４と、振動板３２２と共振板３２４との間に設けられ、振動板３２２及び共振板３２４を支持する中間支持体３２６と、を備えたことを特徴とする。振動板３２２と共振板３２４については、上記第１の実施形態の振動板１２２及び共振板１２４と実質的に同様である。
【００４９】
本実施形態の中間支持体３２６は、上記第１の実施形態の中間支持体１２６とは形状のみが異なる。中間支持体３２６は、図６（ｂ）に示したように、周囲の部分以外のほぼ全面がハニカム構造である。ハニカム構造とは、上述したように、蜂の巣のような六角形や、その他同一の立体図形（セル）を隙間なく並べた構造体をいう。なお、中間支持体３２６の形状以外の他の特徴（材質等）は、上記第１の実施形態の中間支持体１２６と実質的に同様である。
【００５０】
かかる構成のハニカム型の中間支持体３２６によれば、音響的に良好である。なお、本実施形態で説明した構成以外の部分については、上記第１の実施形態と実質的に同様の構成とすることができるため、重複説明を省略する。
【００５１】
（第４の実施形態）
上記第１の実施形態では、バチ１５０の頭部１５４の構成の一例として、ハニカム型の頭部１５４について説明した（図３）。本実施形態では、バチの他の構成例について説明する。本実施形態のバチの頭部は、以下に説明するように、「トラス型」と称される構造である。以下、主に図７を参照しながら説明する。
【００５２】
本実施形態のバチは、上記第１の実施形態で説明したバチ１５０（図３）に代わるものであり、バチの頭部の形状が異なる。本実施形態のバチの頭部は、図７（ａ）、（ｂ）に示したように、トラス構造を有する。トラス構造とは、上述したように、三角形を基本単位として、その集合体で構成する構造をいう。
【００５３】
トラス構造としては、図７（ａ）に示したように、三角形の部分が二重に形成される二重トラス構造や、スパイラル構造も含む。図７（ｂ）は、トラス構造の他の例であり、内側の三角形と外側の二重の三角形とを組み合わせた構造である。このように、通常のトラス構造、二重トラス構造又はスパイラル構造を組み合わせた構造としてもよい。頭部の他の特徴（形状以外の材質等）は、上記第１の実施形態の頭部１５４と実質的に同様である。
【００５４】
本実施形態によれば、軽くて強度の高いバチの頭部とすることができる。なお、本実施形態で説明した構成以外の部分については、上記第１の実施形態と実質的に同様の構成とすることができるため、重複説明を省略する。
【００５５】
以上、添付図面を参照しながら本考案の好適な実施形態について説明したが、本考案はかかる例に限定されないことは言うまでもない。当業者であれば、実用新案登録請求の範囲に記載された範疇内において、各種の変更例又は修正例に想到し得ることは明らかであり、それらについても当然に本考案の技術的範囲に属するものと了解される。
【００５６】
例えば、上記実施形態では、胴体部１１０が円柱形状である場合について説明したが、本考案はこれに限定されない。例えば、胴体部の形状は多角形柱形状であってもよい。この際、打面部の形状は、胴体部の形状にあわせた形状となることは言うまでもない。
【００５７】
また、上記実施形態では、素材の厚みの異なる打面部１２０と打面部１３０とからなる構成について説明したが、本考案はこれに限定されない。打面部１２０と打面部１３０は同一の素材・厚みで構成してもよい。また例えば、打面部１２０と打面部１３０のように、打面部を胴体部１１０の両端に設けず、一方の面のみを打面部とし、他方の面には打面部を設けなくてもよい。
【００５８】
また、上記実施形態では、太鼓型打楽器１００にストラップ１４０を設ける構成例について説明したが、本考案はこれに限定されず、ストラップ１４０は必ずしも設けなくてもよい。
【００５９】
また、上記実施形態では、バチ１５０の具体的な構成について説明したが、本考案はこれに限定されず、任意の構成のバチを採用することができる。
【産業上の利用可能性】
【００６０】
本考案は、太鼓型の打楽器に利用可能である。
【符号の説明】
【００６１】
１００  太鼓型打楽器
１１０  胴体部
１１２  バチ収容用穿孔
１１４、１１６  ストラップ用穿孔
１１８ａ、１１８ｂ  接合部
１２０、１３０  打面部
１２２  振動板
１２４  共振板
１２６  中間支持体
１４０  ストラップ
１５０  バチ
１５２  柄
１５４  頭部
２２０  打面部（第２の実施形態）
２２６  中間支持体
３２０  打面部（第３の実施形態）
３２６  中間支持体
【図１】
0003202993.tif 000003
【図２】
0003202993.tif 000004
【図３】
0003202993.tif 000005
【図４】
0003202993.tif 000006
【図５】
0003202993.tif 000007
【図６】
0003202993.tif 000008
【図７】
0003202993.tif 000009